(57)【要約】【課題】シャドウマスクの振動を確実に減衰させる。【解決手段】多数の電子ビーム通過孔１１が配列形成されたシャドウマスク１０がマスクフレーム１４に固定される。隣り合う電子ビーム通過孔１１間のブリッジ部１２に振動減衰手段１３が設けられている。振動減衰手段１３は、ブリッジ部１２を分断することにより形成された切断端面を含む。シャドウマスク１０が振動すると、切断端面同士が衝突し摺動することにより、振動エネルギーが消費されて、振動が効率よく減衰される。【選択図】  図１
2004273170.tif 000002
【特許請求の範囲】
【請求項１】
多数の電子ビーム通過孔が配列形成されたシャドウマスクと、前記シャドウマスクを固定するマスクフレームとを備えたカラー陰極線管において、隣り合う前記電子ビーム通過孔間のブリッジ部に振動減衰手段が設けられていることを特徴とするカラー陰極線管。
【請求項２】
前記振動減衰手段が、前記ブリッジ部を分断することにより形成された切断端面である請求項１に記載のカラー陰極線管。
【請求項３】
前記切断端面が前記シャドウマスク面に対して傾斜している請求項２に記載のカラー陰極線管。
【請求項４】
前記ブリッジ部は、これを挟む前記電子ビーム通過孔の配列方向に対して斜めに分断されている請求項２に記載のカラー陰極線管。
【請求項５】
前記シャドウマスクが一方向に張力が付与されて前記マスクフレームに架張されており、前記張力付与方向において隣り合う前記電子ビーム通過孔間のブリッジ部に前記振動減衰手段が設けられている請求項１に記載のカラー陰極線管。
【発明の詳細な説明】
【０００１】
【発明の属する技術分野】
本発明はシャドウマスクを備えたカラー陰極線管（ＣＲＴ）に関する。
【０００２】
【従来の技術】
従来のカラー陰極線管の一例を図６を参照して説明する。カラー陰極線管１は、内面に蛍光体スクリーン面２ａが形成されたフェイスパネル２と、フェイスパネル２の後方に接続されたファンネル３と、ファンネル３のネック部３ａに内蔵された電子銃５と、ファンネル３の外周面上に設けられた偏向ヨーク６と、フェイスパネル２の内部に蛍光体スクリーン面２ａに対向して設けられたシャドウマスク７とを備えている。
【０００３】
シャドウマスク７は規則正しく配列された多数の電子ビーム通過孔を有しており、電子銃５から発射される３本の電子ビーム４に対して色選別の役割を果たしている。
【０００４】
最近のカラー陰極線管１は外光の映り込みが少なく、見栄えが良いという点からフェイスパネル２が平面化してきている。フェイスパネル２の平面化に伴い、シャドウマスク７も平面化している。このため、電子ビーム４の射突によるシャドウマスク７の熱膨張によって、その電子ビーム通過孔が変位し、その結果電子ビーム通過孔を通過する電子ビーム４が所望する蛍光体ドットに正しく当たらなくなり、いわゆるドーミング現象が生じる。
【０００５】
シャドウマスク７が平面化すればするほど、シャドウマスク７の熱膨張による変形も大きくなり、ドーミング現象による色むらの問題は深刻化する。そのため、図７（Ａ）、図７（Ｂ）に示すように、シャドウマスク７の温度上昇による熱膨張力以上の張力（テンション）を矢印の方向に加えて、シャドウマスク７をマスクフレーム９に保持することが行われている。このような架張保持によれば、シャドウマスク７の温度が上昇してもシャドウマスク７の電子ビーム通過孔と蛍光体スクリーン面２ａの蛍光体ドットとの相互位置ずれを防止することができる。
【０００６】
この架張保持されたシャドウマスク７はテンション型シャドウマスクと呼ばれている。テンション型シャドウマスクには、マスクフレームに細状素体を多数架張したアパーチャグリル型、平板に略長方形の電子ビーム通過孔が多数形成されたスロット型、及び平板に丸型の電子ビーム通過孔が多数形成されたドット型がある。
【０００７】
また、架張保持には１次元テンション方式と２次元テンション方式とがある。１次元テンション方式とは、図７（Ｂ）に示すように、シャドウマスク７の縦方向（上下方向）のみに張力を加える方式のことで、２次元テンション方式とは、図７（Ａ）に示すようにシャドウマスク７の縦方向と横方向の両方に張力を加える方式のことである。
【０００８】
図８に従来型のスロット型で１次元テンション方式のシャドウマスク７とマスクフレーム９の組立体を示す。マスクフレーム９は左右２本のフレーム９ａ，９ａと上下２本のフレーム９ｂ，９ｂとで形成された長方形状の枠体である。そして、シャドウマスク７がマスクフレーム９により上下方向（矢印Ｔ方向）に架張保持されている。シャドウマスク７には、規則正しく配列された略長方形の多数の電子ビーム通過孔８が形成されている（図８ではその一部のみ図示）。
【０００９】
以上のように、テンション型シャドウマスクはドーミング現象による色むらを防止することができるが、外力等によりシャドウマスク７が振動しやすいという問題がある。シャドウマスク７に振動が生じると電子ビーム通過孔８と蛍光体スクリーン面２ａの蛍光体ドットの位置とがずれてしまい、画質劣化の原因となる。
【００１０】
以上の理由により、シャドウマスク７を防振する為の手段が色々と考えられている。例えば、特許文献１によれば、シャドウマスクを張力付与方向に沿って複数に分断し、その分断端面同士が接触するように配設し、接触し合う分断端面間の相互の摺動にてシャドウマスクの振動を減衰させる構造が提案されている。
【００１１】
【特許文献１】
特開２０００−２０８０６７号公報
【００１２】
【発明が解決しようとする課題】
しかしながら、上記のような振動減衰構造を備えたカラー陰極線管では以下のような問題があった。
【００１３】
分断部は、張力付与方向と直交する方向に隣り合う電子ビーム通過孔８間の部分に設けられ、この分断部によりシャドウマスクは複数に完全に分離されている。従って、張力付与によりシャドウマスクの張力付与方向と直交する方向の幅が狭くなり、その結果、対向する切断端面間の間隔が、張力が付与されていない状態の間隔よりも拡大する。従って、シャドウマスクが振動しても、切断端面同士が接触しないので、振動減衰効果が得られない。
【００１４】
本発明は、シャドウマスクの振動が確実に減衰されたカラー陰極線管を提供することを目的とする。
【００１５】
【課題を解決するための手段】
上記の目的を達成するために、本発明のカラー陰極線管は、多数の電子ビーム通過孔が配列形成されたシャドウマスクと、前記シャドウマスクを固定するマスクフレームとを備えたカラー陰極線管において、隣り合う前記電子ビーム通過孔間のブリッジ部に振動減衰手段が設けられていることを特徴とする。
【００１６】
【発明の実施の形態】
本発明のカラー陰極線管では、振動減衰手段が隣り合う前記電子ビーム通過孔間のブリッジ部に設けられる。即ち、振動減衰手段が、電子ビーム通過孔により挟まれることにより、テンション型シャドウマスクにおいても確実に振動減衰効果を得ることができる。
【００１７】
上記の本発明のカラー陰極線管において、前記振動減衰手段が、前記ブリッジ部を分断することにより形成された切断端面であることが好ましい。これにより、シャドウマスクが振動すると、切断端面同士が衝突し摺動するすることにより、運動エネルギーが熱エネルギー等へ変換されて消散されるので、振動をすばやく減衰させることができる。
【００１８】
この場合において、前記切断端面が前記シャドウマスク面に対して傾斜していることが好ましい。これにより、切断端面同士の接触面積が増大するので、より効果的に振動を減衰させることができる。
【００１９】
また、前記ブリッジ部は、これを挟む前記電子ビーム通過孔の配列方向に対して斜めに分断されていることが好ましい。これにより、ブリッジ部を切断する長さが長くなるので、切断端面同士の接触面積が増大し、その結果、振動減衰効果を高めることができる。
【００２０】
また、前記シャドウマスクが一方向に張力が付与されて前記マスクフレームに架張されており、前記張力付与方向において隣り合う前記電子ビーム通過孔間のブリッジ部に前記振動減衰手段が設けられていることが好ましい。これにより、前記の従来の振動減衰構造では効果が得られなかった１次元テンション方式にて架張されたシャドウマスクの振動を確実に減衰させることができる。
【００２１】
以下、本発明のカラー陰極線管について実施の形態を示しながらより詳細に説明する。
【００２２】
（実施の形態１）
図１は、本発明の実施の形態１にかかるカラー陰極線管に搭載されるシャドウマスク１０とマスクフレーム１４との組立体の斜視図である。図の矢印Ｘ方向が画面横方向で、矢印Ｙ方向が画面縦方向である。
【００２３】
図１において、マスクフレーム１４はＹ方向を長手方向とする２本のフレーム１４ａ，１４ａとＸ方向を長手方向とする２本のフレーム１４ｂ，１４ｂとで形成された長方形状の枠体である。本実施の形態ではシャドウマスク１０は１次元テンション方式にてマスクフレーム１４に架張保持されている。即ち、シャドウマスク１０は、マスクフレーム１４の上下のフレーム１４ｂ，１４ｂに、ほぼＹ軸方向に沿った張力Ｔを付与されて保持されている。シャドウマスク１０には、略長方形の電子ビーム通過孔１１がＹ方向及びＸ方向に多数配列形成されている。張力付与方向であるＹ方向において隣り合う電子ビーム通過孔１１間の部分はブリッジ部１２と呼ばれる。
【００２４】
図２（Ａ）は図１のＩＩＡ部の拡大斜視図である。ブリッジ部１２は、Ｙ方向に沿ったブリッジ切断部１３により分断されている。なお、ブリッジ部１２を分断することによって上下の電子ビーム通過孔は連通されるが、この分断によって電子ビーム通過領域自体は何ら変わらない。即ち、ブリッジ切断部１３によってブリッジ部１２の一部が切断されるが、ブリッジ部１２は依然として実質的に電子ビーム通過領域を上下に仕切っている。このように、構造上は分断されていても、電子ビーム通過領域を実質的に区分する機能を備えた架橋部分をも含めて、本発明では「ブリッジ部」と呼ぶ。
【００２５】
図２（Ｂ）は図２（Ａ）のＸ方向に沿ったＩＩＢ−ＩＩＢ線での矢視断面図である。図の矢印Ｚはシャドウマスク１０の面の法線方向である。ブリッジ切断部１３は、シャドウマスク面に対して垂直な、互いに対向する切断端面１３ａ、１３ｂを備える。
【００２６】
以上の構成において、外部からの力によりシャドウマスク１０に振動が発生しすると、切断端面１３ａ、１３ｂ同士が接触し摺動することにより、運動エネルギーが熱エネルギー等へ変換されて消散されるので、その振動はすばやく減衰させられる。
【００２７】
しかも、ブリッジ部１２が電子ビーム通過孔１１によってＹ方向に挟まれていることによって、シャドウマスク１０に付与されたＹ方向の張力は、ブリッジ部１２にはほとんど作用しない。従って、対向する切断端面１３ａ、１３ｂ間の間隔ｗ１はＹ方向の張力の有無や大きさにかかわらずほぼ一定である。よって、本実施の形態のようなテンション型シャドウマスクに対しても、確実な振動減衰特性を得ることができる。
【００２８】
例えば１つの実施例として、シャドウマスク１０の板厚ｔが０．１５ｍｍのとき、切断幅ｗ１を０．０１ｍｍ以下とすることで、シャドウマスクに発生した振動によって切断端面１３ａ、１３ｂが接触し、良好な振動減衰特性が得られる。
【００２９】
（実施の形態２）
本実施の形態２は、ブリッジ部１２を分断するブリッジ切断部１３の構成において実施の形態１と異なり、その他の構成は実施の形態１と同様である。相違点について以下に説明する。
【００３０】
本実施の形態のブリッジ切断部１３は、図２（Ａ）に示したように、Ｙ方向に沿って形成されている。図２（Ａ）のＩＩＢ−ＩＩＢ線に沿った本実施の形態のブリッジ切断部１３の断面図を図３に示す。本実施の形態のブリッジ切断部１３は、シャドウマスク面に対して角度θ（０°＜θ＜９０°）にて傾斜した、互いに対向する切断端面１３ｃ、１３ｄを備える。このような切断端面１３ｃ、１３ｄは、例えばレーザ加工により形成できる。
【００３１】
以上の構成により、切断端面１３ｃ、１３ｄが傾斜しているために、シャドウマスク１０の振動時における切断端面１３ｃ、１３ｄ同士の接触面積が、実施の形態１に比べて増大する。従って、振動減衰効果をより高めることができる。
【００３２】
より優れた振動減衰効果を得るためには、シャドウマスク１０の板厚ｔは大きいほど良く、切断幅ｗ２は小さいほど良く、切断角度θは小さいほど良い（但しθ≠０°）。また、Ｚ方向に沿って見たとき、切断端面１３ｃ、１３ｄ同士が少なくとも一部において互いに重なり合っていることが好ましい。これにより、上下方向にのみ振動が発生しても振動減衰効果を得ることができる。
【００３３】
図４に、本実施の形態の別のブリッジ切断部１３の断面図を示す。図４は、図３と同様に、ブリッジ部１２のＸＺ面での断面図である。図３に示した平面状の切断端面１３ｃ、１３ｄと異なり、図４のブリッジ切断部１３は突起を有する切断端面１３ｅ、１３ｆを備える。このような切断端面１３ｅ、１３ｆは、エッチング等により形成することができる。図４のブリッジ切断部１３も、図３のブリッジ切断部１３と同様にＹ方向に沿って形成されている。
【００３４】
（実施の形態３）
本実施の形態３は、ブリッジ部１２を分断するブリッジ切断部の構成において実施の形態１と異なり、その他の構成は実施の形態１と同様である。相違点について以下に説明する。
【００３５】
図５は、本実施の形態３のブリッジ切断部１５を示した拡大斜視図である。本実施の形態では、ブリッジ部１２は、Ｙ方向に対して傾斜したブリッジ切断部１５によって分断されている。ブリッジ切断部１５を構成する切断端面は、実施の形態１と同様にＺ方向と平行な平面である。
【００３６】
ブリッジ切断部１５をＹ方向に対して斜めに形成することにより、ブリッジ切断部１５の長さが長くなる。従って、シャドウマスク１０の振動時における、ブリッジ切断部１５を構成する対向する切断端面同士の接触面積が、実施の形態１に比べて増大する。よって、振動減衰効果をより高めることができる。
【００３７】
更に、ブリッジ切断部１５の断面構造を、実施の形態２で説明した図３又は図４のように形成しても良い。図３のように切断端面を傾斜させることにより、実施の形態２よりも振動減衰効果を高めることができる。
【００３８】
上記の実施の形態１〜３において、ブリッジ切断部はシャドウマスク１０の全てのブリッジ部１２に形成されていても良いし、その一部のみでも良い。全てのブリッジ部１２に形成すれば、シャドウマスク１０の全面に渡って、より大きな振動減衰効果が得られる。シャドウマスク面内の振動が生じやすい一又は複数の箇所のブリッジ部１２にのみ形成すれば、シャドウマスクの振動を効率よく減衰させることができ、しかも、無駄なブリッジ切断部を形成することによるによる工程時間の増大やコストの上昇を防止できる。
【００３９】
本発明のカラー陰極線管の構成は、上記の実施の形態１〜３に示したシャドウマスクの振動減衰手段を備える以外は、特に限定されず、公知の任意の構成をとることができる。
【００４０】
【発明の効果】
以上のように、本発明のカラー陰極線管によれば、振動減衰手段が隣り合う前記電子ビーム通過孔間のブリッジ部に設けられる。即ち、振動減衰手段が、電子ビーム通過孔により挟まれることにより、テンション型シャドウマスクにおいても確実に振動減衰効果を得ることができる。
【図面の簡単な説明】
【図１】本発明の実施の形態１にかかるカラー陰極線管のシャドウマスクとマスクフレームとの組立体の斜視図
【図２】図２（Ａ）は、図１におけるＩＩＡ部の拡大斜視図
図２（Ｂ）は、図２（Ａ）のＩＩＢ−ＩＩＢ線での矢視断面図
【図３】本発明の実施の形態２にかかるカラー陰極線管のブリッジ切断部の図２（Ａ）のＩＩＢ−ＩＩＢ線での矢視断面図
【図４】本発明の実施の形態２にかかるカラー陰極線管の別の切断端面を備えたブリッジ切断部の図２（Ａ）のＩＩＢ−ＩＩＢ線での矢視断面図
【図５】本発明の実施の形態３にかかるカラー陰極線管の図１におけるＩＩＡ部の拡大斜視図
【図６】従来のカラー陰極線管の概略構成を示す断面図
【図７】図７（Ａ）は、２次元テンション方式によるシャドウマスクとマスクフレームとの組立体を示した斜視図
図７（Ｂ）は、１次元テンション方式によるシャドウマスクとマスクフレームとの組立体を示した斜視図
【図８】従来のカラー陰極線管におけるシャドウマスクとマスクフレームとの組立体の斜視図
【符号の説明】
１  カラー陰極線管
１０  シャドウマスク
１１  電子ビーム通過孔
１２  ブリッジ部
１３  ブリッジ切断部
１３ａ、１３ｂ  切断端面
１３ｃ、１３ｄ  傾斜した切断端面
１３ｅ、１３ｆ  突起状の切断端面
１４  マスクフレーム
１５  傾斜したブリッジ切断部
【図１】
2004273170.tif 000003
【図２】
2004273170.tif 000004
【図３】
2004273170.tif 000005
【図４】
2004273170.tif 000006
【図５】
2004273170.tif 000007
【図６】
2004273170.tif 000008
【図７】
2004273170.tif 000009
【図８】
2004273170.tif 000010